(57)【要約】      （修正有）【課題】高層ビル外縁の足場を回避して、スムーズに上下の移動作業を行い、運搬及び操作がしやすいクレーンを提供する。【解決手段】土台１１は高層ビルの空地に固定される。垂直支柱１２は高層ビル外周に近く設置された土台１１の一側に設置される。横Ｈ型レール１３は、垂直支柱１２の先端に横に設置され、横Ｈ型レール１３の最外端は高層ビル外縁に位置する。ジブ１４の両端はそれぞれ横Ｈ型レール１３の他端及び土台１１内側に連結されて横Ｈ型レール１３支える。伝動モータは、土台１１内に設置され、チェーンによってワイヤロープ１７を巻き付けた回転ドラム１６を作動させる。回転ドラム１６のワイヤロープ１７は、横Ｈ型レール１３中の滑車１３１を経て油圧装置１８の油圧伸縮ロッド１８１の滑車装置１８２まで達した後、その先端がフック１９に固定される。【選択図】図２
0003158320.tif 000002
【実用新案登録請求の範囲】
【請求項１】
高層ビルの空地に固定された土台と、
前記高層ビルの外周に近い位置に設置された前記土台の一側に設置された垂直支柱と、
前記垂直支柱の先端に横に設置された横Ｈ型レールと、
一端が前記横Ｈ型レール他端と連結され、他端が前記土台内側に連結され、前記横Ｈ型レールを支えるジブと、
前記土台内に設置され、チェーンによって回転ドラムを作動させる伝動モータと、
前記回転ドラムに巻き付けられ、前記横Ｈ型レール中の滑車を経て油圧装置の油圧伸縮ロッドの滑車装置まで達した後、さらに、その先端がフックに固定されるワイヤロープと
を備え、
使用時には、組立部品が別々に高層ビルの屋上の空地において組み立てられ、前記横Ｈ型レールの最外端は高層ビル外縁に位置し、組立後はほぼＺ型を形成し、
設置が完了した後、前記伝動モータを起動させると同時に前記滑車装置を移動操作させることによって、上下の移動中に高層ビル外周の足場を回避することを特徴とするクレーン。
【考案の詳細な説明】
【技術分野】
【０００１】
本考案は、クレーンに関し、特に高層ビルの足場を解体するクレーンに関する。
【背景技術】
【０００２】
現在、高層ビルの主構造が完成した後、外周の足場Ａの解体作業を行う際、ほとんどの場合、高層ビルの屋上の空地にクレーンＢが設置され、解体された足場組立部品Ａ１が地面に下ろされている（図１参照）。しかしながら、解体された足場組立部品Ａ１が梱包されて地面に下ろされる際に強風が吹いた場合、クレーンＢに吊り上げられた足場組立部品Ａ１は非常に重いため、クレーンＢ自体が影響を受ける外、クレーンＢに吊り下げられた足場組立部品Ａ１も揺れることが考えられる。このため、クレーンＢへの負担がさらに増す外、高層ビル外周の足場Ａに足場組立部品Ａ１が引っかかる可能性もあり、作業時の危険性が増す虞がある。
【０００３】
このように高層ビルでのクレーン作業は大きな危険が伴い、屋上及び地面における作業者は、肉眼だけでは正確な判断がつきにくい。特に手動による操作方式では、外的な要因または梱包が不完全なことによる荷物の緩み、傾き、引っかかり、滑落、断裂等により、万一吊り下げた足場組立部品Ａ１及びクレーンＢが地面に落下した場合、発生する災害の大きさは想像を超えるものがある。
【考案の概要】
【考案が解決しようとする課題】
【０００４】
本考案は、高層ビル外縁の足場を回避して、スムーズに上下の移動作業を行い、運搬及び操作がしやすい高層ビルの足場を解体するクレーンを提供することを目的とする。
【課題を解決するための手段】
【０００５】
上記目的を達成するため、本考案に係るクレーンは、土台、垂直支柱及び横Ｈ型レールを備える。土台は高層ビルの屋上の空地に固定され、垂直支柱は高層ビル外周に近い位置に設置された土台の一側に設置された後、垂直支柱の先端に横Ｈ型レールが横に設置されることで、横Ｈ型レールの最外端は、高層ビル外縁に位置する。
【０００６】
このように、ほぼＺ型の形状が形成された後、さらに、ジブの両端がそれぞれ横Ｈ型レールの他端及び土台内側に連結されて支える。さらに、土台内には伝動モータが設置されて、チェーンによってワイヤロープを巻き付けた回転ドラムを作動させる。回転ドラムのワイヤロープは、横Ｈ型レール中の滑車を経て油圧装置の油圧伸縮ロッドの滑車装置まで達した後、さらに、その先端がフックに固定される。
【０００７】
使用時には、先ずクレーンの組立部品は、別々に高層ビルの屋上の空地において組み立てられる。そして、設置が完了した後、伝動モータの起動と同時に行われる滑車装置の移動操作によって、クレーンの組立部品は上下移動中に高層ビル外周の足場を回避する。これにより、本考案のクレーンは作業をスムーズに行うことができる。
【０００８】
さらに、本考案のクレーンは、クレーンの土台、垂直支柱、横Ｈ型レール及び組み合わせる部品全てを、別々に高層ビルの屋上の空地に移動させてから、組み立てて設置するため、運搬及び操作が容易である。
またさらに、本考案のクレーンは、土台内に伝動モータ及びワイヤロープを巻き付けた回転ドラムが設置されて、電動スイッチでコントロールすることによって、チェーンを介して動かし、回転ドラム内のワイヤロープが滑車を経て、巻き込み、巻き放ちが行われる。したがって、安定した電動式のコントロールが可能である。
【０００９】
またさらに、本考案のクレーンは、土台の一側に位置する垂直支柱先端の横Ｈ型レール中に油圧装置が設置されて、油圧伸縮ロッドに滑車装置が設置されることにより、横Ｈ型レールを水平移動して、ワイヤロープ先端のフックを横Ｈ型レール最外側まで移動させることができるため、ワイヤロープが上下の吊り下げ作業を行う際、高層ビル外縁の足場を回避して、移動中に足場に引っかかるという状況の発生を防止する。
【００１０】
（考案の効果）
本考案は、特に、高層ビルの外縁の足場を回避して、スムーズに上下移動して作業が進められる高層ビルの足場専用の解体クレーンに関する。
クレーンの組立部品は別々に高層ビルの屋上の空地において組み立てられる。設置が完了した後、伝動モータの起動と同時に滑車装置の移動操作が行われる。これによれば、クレーンは、上下の移動中に高層ビル外周の足場を回避するため、作業をスムーズに行うことができる。
さらに、土台内に伝動モータ及びワイヤロープを巻き付けた回転ドラムが設置されている。伝動モータは、電動スイッチでコントロールされ、チェーンを介して回転ドラムを動かす。これにより、滑車を経て、回転ドラム内のワイヤロープの巻き込み、巻き放ちが行われる。このように、安定した電動式のコントロールが可能である。
【００１１】
またさらに、土台の一側に位置する垂直支柱先端の横Ｈ型レール中に油圧装置が設置されて、油圧伸縮ロッドに滑車装置が設置されている。これにより、横Ｈ型レールを水平移動させて、ワイヤロープ先端のフックは横Ｈ型レール最外側まで移動可能であるため、ワイヤロープが上下の吊り下げ作業を行う際、高層ビル外縁の足場を回避して、移動中に足場に引っかかるという状況の発生を防止できる。
【図面の簡単な説明】
【００１２】
【図１】従来のクレーンによる高層ビルの足場解体作業を示す模式図である。
【図２】本考案の一実施形態のクレーンを示す斜視図である。
【図３】本考案の一実施形態のレーンによる解体作業を示す模式図である。
【図４】本考案の一実施形態のクレーンによる解体作業を示す模式図である。
【図５】本考案の一実施形態のクレーンによる解体作業を示す模式図である。
【図６】本考案の一実施形態のクレーンによる解体作業を示す模式図である。
【考案を実施するための最良の形態】
【００１３】
以下、本考案の一実施形態を図面に基づいて説明する。本考案のクレーンは、高層ビルの足場の解体作業に適用される。
（一実施形態）
まず、図２を参照しながら説明する。本考案の一実施形態によるクレーンは、高層ビルの屋上の空地に設置される。クレーン１は、土台１１、垂直支柱１２及び横Ｈ型レール１３を備える。土台１１は空地に固定される。垂直支柱１２が高層ビル外縁に近い位置の土台１１の一側に設置された後、さらに、垂直支柱１２の先端に横Ｈ型レール１３が横に設置される。横Ｈ型レール１３の最外端が高層ビルの外縁に位置することで、その組立後の形状はほぼＺ型を形成する。さらに、ジブ１４両端がそれぞれ横Ｈ型レール１３の他端と土台１１の内側に連結されてしっかりと支える。
【００１４】
土台１１の内には、伝動モータ１５が設置され、チェーンによってワイヤロープ１７を巻き付けた回転ドラム１６を作動させる。回転ドラム１６のワイヤロープ１７は、横Ｈ型レール１３の中の滑車１３１を経て、横Ｈ型レール１３の中に設置された油圧装置１８の油圧伸縮ロッド１８１の滑車装置１８２まで達し、さらに、先端がフック１９に固定される。油圧装置１８の油圧伸縮ロッド１８１の滑車装置１８２は、横Ｈ型レール１３内のレールに沿って水平移動することで、ワイヤロープ１７の先端のフック１９を横Ｈ型レール１３の最外側まで移動させる。
【００１５】
また、使用時には、先ずクレーン１の土台１１、垂直支柱桿１２、横Ｈ型レール１３、油圧装置１８、ジブ１４、伝動モータ１５、回転ドラム１６、ワイヤロープ１７、フック１９等の組立部品を別々に高層ビルの屋上に移動させてから組み立て、土台枠１Ａによってその固定設置作業を完了させる（図２及び図３参照）。したがって、運搬及び組立がしやすく、安定に固定させることが可能である。
【００１６】
解体された足場組立部品Ａ１は、先ず梱包されて、ワイヤロープ１７先端のフック１９に引っ掛けられる（図３参照）。伝動モータ１５が電動スイッチのコントロールを受けることで、チェーンによって回転ドラム１６中のワイヤロープ１７は動かされ、滑車１３１を経て巻き上げられる。
【００１７】
足場組立部品Ａ１は先ず吊り上げられ（図４参照）、その後、高層ビル外周の足場Ａを回避するため、横Ｈ型レール１３中に設置された油圧装置１８の油圧伸縮ロッド１８１及び滑車装置１８２の操作によって、水平移動方式でフック１９及び足場組立部品Ａ１を横Ｈ型レール１３の最外側まで移動させられる（図５参照）。これにより、クレーン作業に必要な空間が確保される。この後、再び伝動モータ１５を起動させて動かした回転ドラム１６中のワイヤロープ１７を巻き放つことにより、足場組立部品Ａ１の上下の吊り下げ作業が行われる（図６参照）。したがって、高層ビル外縁の足場Ａを回避するため、移動中に足場Ａに引っ掛かる状況の発生を防止すると同時に、クレーン１がスムーズにその作業を行うことができる。
【符号の説明】
【００１８】
１：クレーン、１１：土台、１２：垂直支柱、１３：横Ｈ型レール、１３１：滑車、１４：ジブ、１５：伝動モータ、１６：回転ドラム、１７：ワイヤロープ、１８：油圧装置、１８１：油圧伸縮ロッド、１８２：滑車装置、１９：フック、１Ａ：固定土台枠、Ａ：足場、Ａ１：足場組立部品、Ｂ：クレーン
【図１】
0003158320.tif 000003
【図２】
0003158320.tif 000004
【図３】
0003158320.tif 000005
【図４】
0003158320.tif 000006
【図５】
0003158320.tif 000007
【図６】
0003158320.tif 000008